(57)【要約】      （修正有）【課題】電子音声発生書籍の分野に関し、特に、音声発生装置を取り外し可能な電子音声発生書籍及びその識別方法を提供する。【解決手段】２冊以上の書籍本体１と着脱可能な音声発生装置２と相互を接続する通信モジュールと，書籍本体及び又は音声発生装置に設けられたキー装置６と，書籍本体に設けられ，書籍本体とページ内容に対応するキー装置を識別する識別モジュールから成り、音声発生装置が１つの書籍本体に取り付けられると、音声発生装置は該当の書籍本体の識別モジュール内の独立コードを読み取り、書籍の種別及び書籍の具体的なキー装置のキースイッチを識別する。相応するスイッチが押下されると音声発生装置はキー装置に対応する音声を発生する。【選択図】図２
2017094704.tif 000002
【特許請求の範囲】
【請求項１】
書籍本体、音声発生装置及びキー装置を含み、前記キー装置が書籍本体及び／又は音声発生装置に設けられ、前記書籍本体には、該当の書籍本体と、ページ内容に対応するキー装置とを識別するための識別モジュールが設けられ、前記音声発生装置は、スピーカー、電池、音声制御チップ及び識別モジュールに通信接続される第１通信モジュールを含み、前記スピーカー、電池、第１通信モジュールはそれぞれ音声制御チップに接続され、前記識別モジュールは、第１通信モジュールに接続される第２通信モジュールを含む音声発生装置を取り外し可能な電子音声発生書籍。
【請求項２】
前記音声制御チップは、１又は複数の書籍音声データが記憶された音声チップであり、前記識別モジュールは、該当の書籍本体の内容に対応する独立コードが記憶されたコード記憶装置を含み、前記コード記憶装置が第２通信モジュールに接続される請求項１記載の音声発生装置を取り外し可能な電子音声発生書籍。
【請求項３】
前記識別モジュールは、該当の書籍音声データが記憶された音声チップと、該当の書籍本体の内容に対応する独立コードが記憶されたコード記憶装置を含み、前記コード記憶装置と音声チップが第２通信モジュールに接続される請求項１記載の音声発生装置を取り外し可能な電子音声発生書籍。
【請求項４】
キー装置が書籍本体に設けられる場合、キー装置は、第２通信モジュール、第１通信モジュールを介して音声制御チップに接続され、キー装置が音声発生装置に設けられる場合、前記キー装置は音声制御チップに接続される請求項１記載の音声発生装置を取り外し可能な電子音声発生書籍。
【請求項５】
２又はそれ以上の音声発生装置を含み、各音声発生装置が同一の書籍本体にそれぞれ接続される請求項１〜４のいずれか１項記載の音声発生装置を取り外し可能な電子音声発生書籍。
【請求項６】
２又はそれ以上の書籍本体を含み、各書籍本体が同一の音声発生装置にそれぞれ接続される請求項１〜４のいずれか１項記載の音声発生装置を取り外し可能な電子音声発生書籍。
【請求項７】
前記第１通信モジュールと第２通信モジュールが、有線又は無線接続される請求項１〜４のいずれか１項記載の音声発生装置を取り外し可能な電子音声発生書籍。
【請求項８】
請求項１〜７のいずれか１項記載の音声発生装置を取り外し可能な電子音声発生書籍における識別方法であって、
前記書籍本体上の識別モジュールには、該当の書籍本体及びページ内容に対応するキー装置の識別情報が記憶されており、識別モジュールと音声発生装置上の音声制御チップが接続されると、現在接続されている書籍本体及び当該書籍本体のページ内容に対応するキー装置の情報を音声制御チップが取得し、ページ内容に対応するキー装置が押下されると、音声制御チップは識別した情報に基づいてスピーカーを駆動し、前記書籍本体、ページ、キーに対応する音声を出力する識別方法。
【請求項９】
前記識別モジュールには、当該書籍本体に対応する独立コードが記憶されており、前記音声制御チップには、各独立コードの書籍本体における音声データと、当該書籍本体における具体的音声データの対応関係が予め記憶されており、音声発生装置と書籍本体が接続されると、現在接続されている書籍本体が当該独立コードから識別されるとともに、キー装置と書籍本体における具体的音声データとの対応関係が取得され、キー装置が押圧されると、音声制御チップが、識別された具体的キーと音声データとの関係に基づいてスピーカーを駆動し、前記書籍本体、ページ、キーに対応する音声を出力する請求項８記載の音声発生装置を取り外し可能な電子音声発生書籍における識別方法。
【請求項１０】
前記識別モジュールには、該当の書籍本体に対応する独立コードが記憶されるとともに、当該コード及びページ内容に対応する音声データが記憶されており、音声発生装置と書籍本体が接続されると、キー装置と書籍本体における具体的音声データとの対応関係がコードから取得され、キー装置が押下されると、音声制御チップが、識別された具体的キーと音声データとの関係に基づいてスピーカーを駆動し、前記書籍本体、ページ、キーに対応する音声を出力する請求項８記載の音声発生装置を取り外し可能な電子音声発生書籍における識別方法。
【発明の詳細な説明】
【技術分野】
【０００１】
本発明は電子音声発生書籍の分野に関し、特に、音声発生装置を取り外し可能な電子音声発生書籍及びその識別方法に関する。
【背景技術】
【０００２】
電子音声発生書籍は、児童の視覚、聴覚、動作の成長に有益な知育読み物である。児童は、キーを押下することで本の内容に対応する音声や音楽を再生可能である。これによれば、読み物としての面白みやインタラクティブ性が高まり、陰鬱とした学習方式が払拭されるため、児童は楽しみながら学ぶことができる。現在、市場のニーズに応えるべく、大小様々な電子音声発生書籍が販売されている。
【０００３】
現在市販されている電子音声発生書籍は、大部分が書籍ごとに音声発生装置を配置しているため、書籍の体積が大きくかさばり、非実用的である。また、音声発生装置は一般的に製造コストがかかるため、電子音声発生書籍のコストが高騰してしまう。更に、大量の電子部品を使用することから、環境保護の理念にも合わない。もしこれらの技術的課題を解決できれば、この種の製品をいっそう見栄えよく且つ手頃な価格とすることができ、市場占有率の向上に有利となる。また、省エネ・環境保護の理念にも合致するようになる。
【０００４】
従来技術では、音声発生装置を特定の１つの書籍にのみ接続して使用可能としていることが多いため、実質的な作用性に劣る。もし、１つの音声発生装置を複数の書籍ないしはシリーズの全製品に適用可能とすれば、生産コストを削減でき、より人にやさしい設計とすることが可能となる。
【発明の概要】
【発明が解決しようとする課題】
【０００５】
上記の課題を解決するために、本発明は、音声発生装置と書籍との着脱方式を用いることで、音声発生装置を異なる書籍に適用して対応する音声を発生可能とするとともに、当該技術製品としての機能が充実しており、内容が豊富な、音声発生装置を取り外し可能な電子音声発生書籍及びその識別方法を提供することを目的とする。
【課題を解決するための手段】
【０００６】
本発明は、上記の課題を解決するために以下の技術方案を用いた。
【０００７】
音声発生装置を取り外し可能な電子音声発生書籍であって、書籍本体、音声発生装置及びキー装置を含み、前記キー装置が書籍本体及び／又は音声発生装置に設けられ、前記書籍本体には、該当の書籍本体と、ページ内容に対応するキー装置とを識別するための識別モジュールが設けられ、前記音声発生装置は、スピーカー、電池、音声制御チップ及び識別モジュールに通信接続される第１通信モジュールを含み、前記スピーカー、電池、第１通信モジュールはそれぞれ音声制御チップに接続される。
【０００８】
本発明では、音声発生装置と書籍本体との着脱モードを採用することで、音声発生装置を異なる書籍に適用して対応する音声を発生可能としている。且つ、当該技術製品は機能が充実しており、内容が豊富である。取り外し可能な音声発生装置を使用することで、電子音声発生書籍はコンパクトとなる。また、かさばる音声発生装置を書籍に取り付ける必要がなくなるため、これに応じて書籍の内容を充実させることができ、書籍としての実用性が高まる。このほか、当該技術を用いることで、使用者は音声発生装置を１つ買いさえすれば、複数の書籍ないしはシリーズ全製品にこれを適用可能となる。よって、経済的なだけでなく、倹約・環境保護の理念にも合致する。また、取り外し可能な音声発生装置は様々な外観にデザインできるため、各年齢層の使用者を対象とした設計及び普及が可能となる。
【０００９】
更に、前記音声制御チップは、１又は複数の書籍音声データが記憶された音声チップであり、前記識別モジュールは、該当の書籍本体の内容に対応する独立コードが記憶されたコード記憶装置と、第１通信モジュールに接続される第２通信モジュールを含み、前記コード記憶装置が第２通信モジュールに接続される。前記音声データは音声チップに記憶されるため、書籍本体に大容量のメモリを設ける必要がなくなる。書籍本体は、該当書籍の独立コードを記憶するだけでよいため、生産コスト及びユーザによる書籍交換コストを効果的に削減可能となる。
【００１０】
更に、前記識別モジュールは、該当の書籍音声データが記憶された音声チップと、該当の書籍本体の内容に対応する独立コードが記憶されたコード記憶装置、及び、第１通信モジュールに接続される第２通信モジュールを含み、前記コード記憶装置と音声チップが第２通信モジュールに接続される。前記音声チップは書籍本体に設けられるため、音声制御チップに書籍本体の音声データを予め記憶させる必要がなくなる。これによれば、音声制御チップは初期作製費用を低く抑えられるほか、将来的な市場の成長に対し高い柔軟性と伸び代を有することになるため、製品開発リスクを低く抑えられる。
【００１１】
更に、前記キー装置は書籍本体に設けられ、キー装置は、第２通信モジュール、第１通信モジュールを介して音声制御チップに接続される。また、前記キー装置は書籍本体に設けられ、書籍本体上のページ内容に対応するキーを押下することで音声を発生するようにしてもよい。これによれば、前記キー装置がページの内容とより親和性を持つため、インタラクティブ性が一層良好となる。
【００１２】
上記の改良として、前記キー装置は音声発生装置に設けられ、前記キー装置が音声制御チップに接続される。前記音声発生装置にキー装置が集積されることで、書籍本体の生産コストを一層削減可能となる。
【００１３】
更に、書籍本体と音声発生装置の双方にキー装置を設け、前記２つの実施形態の利点を兼ね備えるようにしてもよい。
【００１４】
更に、２又はそれ以上の音声発生装置を含み、各音声発生装置が同一の書籍本体にそれぞれ接続される。前記書籍本体と２又はそれ以上の音声発生装置を接続することで、各キーに応じて、異なる造型又は異なる機能に対応する音声発生装置に音声を発生させることが可能となり、インタラクティブ性が大幅に向上する。
【００１５】
更に、２又はそれ以上の書籍本体を含み、各書籍本体が同一の音声発生装置にそれぞれ接続される。複数の書籍本体によって１つの音声発生装置を同時に共用する方式が採用されるため、複数の書籍を操作する場合であっても、音声発生装置を１つ使用するだけですみ、ユーザの使用コストを効果的に削減可能となる。
【００１６】
更に、前記第１通信モジュールと第２通信モジュールが有線接続される。
【００１７】
具体的には、前記第１通信モジュールと第２通信モジュールがケーブルで接続される。ケーブルで接続することで、音声発生装置が書籍本体の体積を占有する必要がなくなるほか、より接続しやすくなる。
【００１８】
具体的には、前記第１通信モジュールと第２通信モジュールが挿入接続口であり、前記音声発生装置が取り外し可能に書籍本体に取り付けられる。挿入接続方式を採用することで、音声発生装置と書籍本体の一体化レベルがより良好となる。
【００１９】
更に、前記第１通信モジュールと第２通信モジュールが無線接続される。無線方式で接続することで、音声発生装置と書籍本体を完全に分離して使用できるため、ユーザによる利用が便利になる。
【００２０】
更に、前記第２通信モジュールは挿入接続可能に書籍本体に取り付けられる。これによれば、使用したい場合にのみ第２通信モジュールを対応する書籍に挿入接続すればよいため、書籍本体の生産コストを効果的に削減可能となる。
【００２１】
前記の音声発生装置を取り外し可能な電子音声発生書籍における識別方法は、前記書籍本体上の識別モジュールには、該当の書籍本体及びページ内容に対応するキー装置の識別情報が記憶されており、識別モジュールと音声発生装置上の音声制御チップが接続されると、現在接続されている書籍本体及び当該書籍本体のページ内容に対応するキー装置の情報を音声制御チップが取得し、ページ内容に対応するキー装置が押下されると、音声制御チップは識別した情報に基づいてスピーカーを駆動し、前記書籍本体、ページ、キーに対応する音声を出力し、前記識別モジュールは、第１通信モジュールに接続される第２通信モジュールを含む。
【００２２】
更に、前記識別モジュールには、当該書籍本体に対応する独立コードが記憶されており、前記音声制御チップには、各独立コードの書籍本体における音声データと、当該書籍本体における具体的音声データの対応関係が予め記憶されており、音声発生装置と書籍本体が接続されると、現在接続されている書籍本体が当該独立コードから識別されるとともに、キー装置と書籍本体における具体的音声データとの対応関係が取得され、キー装置が押圧されると、音声制御チップが、識別された具体的キーと音声データとの関係に基づいてスピーカーを駆動し、前記書籍本体、ページ、キーに対応する音声を出力する。
【００２３】
更に、前記識別モジュールには、該当の書籍本体に対応する独立コードが記憶されるとともに、当該コード及びページ内容に対応する音声データが記憶されており、音声発生装置と書籍本体が接続されると、キー装置と書籍本体における具体的音声データとの対応関係がコードから取得され、キー装置が押下されると、音声制御チップが、識別された具体的キーと音声データとの関係に基づいてスピーカーを駆動し、前記書籍本体、ページ、キーに対応する音声を出力する。
【００２４】
更に、前記音声発生装置は複数の書籍本体と接続可能であり、複数の書籍本体に共通の音声発生装置として使用される。
【００２５】
上記の改良として、前記書籍本体に複数の音声発生装置が接続され、キー装置が押下されると、該当のキー装置に指定されている特定の１又は複数の音声発生装置が音声を発生する。
【発明の効果】
【００２６】
本発明は、次のような有益な効果を有する。即ち、本発明が採用する音声発生装置を取り外し可能な電子音声発生書籍及びその識別方法では、音声発生装置と書籍本体との着脱方式によって、音声発生装置を異なる書籍に適用して対応する音声を発生可能としている。且つ、当該技術製品は機能が充実しており、内容が豊富である。取り外し可能な音声発生装置を使用することで、電子音声発生書籍はコンパクトとなる。また、かさばる音声発生装置を書籍に取り付ける必要がなくなるため、これに応じて書籍の内容を充実させることができ、書籍としての実用性が高まる。このほか、当該技術を用いることで、使用者は音声発生装置を１つ買いさえすれば、複数の書籍ないしはシリーズ全製品にこれを適用可能となる。よって、経済的なだけでなく、倹約・環境保護の理念にも合致する。また、取り外し可能な音声発生装置は様々な外観にデザインできるため、各年齢層の使用者を対象とした設計及び普及が可能となる。本発明は音声制御チップに限らず、他のチップを用いることで、例えばランプ、画像、映像又は動作等の異なる出力も可能となる。
【００２７】
以下に、図面と実施例を組み合わせて本発明につき更に説明する。
【図面の簡単な説明】
【００２８】
【図１】図１は、本発明における音声発生装置の回路原理図である。
【図２】図２は、本発明の第１実施例を示す図である。
【図３】図３は、本発明の第２実施例を示す図である。
【図４】図４は、本発明の第３実施例を示す図である。
【図５】図５は、本発明の第４実施例を示す図である。
【図６】図６は、本発明の第５実施例を示す図である。
【図７】図７は、本発明の第６実施例を示す図である。
【図８】図８は、本発明の第７実施例を示す図である。
【図９】図９は、本発明の第８実施例を示す図である。
【図１０】図１０は、本発明の第９実施例を示す図である。
【図１１】図１１は、本発明の第１０実施例を示す図である。
【図１２】図１２は、本発明の第１１実施例を示す図である。
【図１３】図１３は、本発明の第１２実施例を示す図である。
【図１４】図１４は、本発明のキー装置が書籍本体に設けられ、且つ音声チップが音声発生装置に設けられた回路原理のブロック図である。
【図１５】図１５は、本発明のキー装置が音声発生装置に設けられ、且つ音声チップが音声発生装置に設けられた回路原理のブロック図である。
【図１６】図１６は、本発明のキー装置が書籍本体に設けられ、且つ音声チップが書籍本体に設けられた回路原理のブロック図である。
【図１７】図１７は、本発明のキー装置が音声発生装置に設けられ、且つ音声チップが書籍本体に設けられた回路原理のブロック図である。
【図１８】図１８は、本発明の第１３実施例を示す図である。
【図１９】図１９は、本発明の第１４実施例を示す図である。
【図２０】図２０は、本発明の第１５実施例を示す図である。
【発明を実施するための形態】
【００２９】
図１〜図１５を参照して、本発明の音声発生装置を取り外し可能な電子音声発生書籍は、書籍本体１、音声発生装置２及びキー装置６を含む。前記キー装置６は、書籍本体１及び／又は音声発生装置２に設けられ、前記書籍本体１には、該当の書籍本体１と、ページ内容に対応するキー装置６とを識別するための識別モジュールが設けられている。前記音声発生装置２は、スピーカー２１、電池２２、音声制御チップ２３及び識別モジュールに通信接続される第１通信モジュール４を含む。前記スピーカー２１、電池２２、第１通信モジュール４は、それぞれ音声制御チップ２３に接続される。
【００３０】
本発明では、音声発生装置２と書籍本体１との着脱方式を採用することで、音声発生装置２を異なる書籍に適用して対応する音声を発生可能としている。且つ、当該技術製品は機能が充実しており、内容が豊富である。取り外し可能な音声発生装置２を使用することで、電子音声発生書籍はコンパクトとなる。また、かさばる音声発生装置を書籍に取り付ける必要がなくなるため、これに応じて書籍の内容を充実させることができ、書籍としての実用性が高まる。このほか、当該技術を用いることで、使用者は音声発生装置を１つ買いさえすれば、複数の書籍ないしはシリーズ全製品にこれを適用可能となる。よって、経済的なだけでなく、倹約・環境保護の理念にも合致する。また、取り外し可能な音声発生装置は様々な外観にデザインできるため、各年齢層の使用者を対象とした設計及び普及が可能となる。
【００３１】
更に、前記音声制御チップ２３は、１又は複数の書籍音声データが記憶された音声チップである。前記識別モジュールは、該当の書籍本体の内容に対応する独立コードが記憶されたコード記憶装置と、第１通信モジュール４に接続される第２通信モジュール５を含み、前記コード記憶装置が第２通信モジュール５に接続されている。前記音声データは音声チップに記憶されることから、書籍本体１に大容量のメモリを設ける必要がなくなる。書籍本体１は、該当書籍の独立コードを記憶するだけでよいため、生産コスト及びユーザによる書籍交換コストを効果的に削減可能となる。
【００３２】
図２を参照して、本発明の第１実施例は音声発生装置２を１つ含み、前記音声発生装置２が２冊以上の書籍本体１に接続可能とされる。前記書籍本体１の各ページにはページの内容に対応するキー装置６が設けられており、前記キー装置６は、第２通信モジュール５、第１通信モジュール４を介して音声チップに接続される。前記第１通信モジュール４と第２通信モジュール５は挿入接続口であり、前記音声発生装置２が取り外し可能に書籍本体１に取り付けられる。音声発生装置２が書籍本体１に取り付けられると、音声発生装置２は、該当の書籍本体１のコード記憶装置内にある独立コードを読み取ることで、書籍の種別及び書籍における具体的なキースイッチを識別可能である（例えば、コード０１の書籍における４ページ目のスイッチ）。同様に、音声発生装置２が別の書籍本体に取り付けられると、音声発生装置２は、当該書籍及び当該書籍における具体的なキースイッチを自動的に識別可能である（例えば、コード０２の書籍本体における４ページ目のスイッチ）。他についても同様である。そして、相応のスイッチが押下されると、音声発生装置２はキー装置６に対応する音声を発生させる。
【００３３】
図３を参照して、本発明の第２実施例は、前記キー装置６が音声発生装置２に設けられており、前記キー装置６が音声チップに接続されている点で第１実施例とは異なる。音声発生装置２が書籍本体１に取り付けられると、音声発生装置２は、該当の書籍本体１のコード記憶装置内にある独立コードを読み取ることで、書籍の具体的情報と、該当の音声発生装置２の各キー装置６に対応する書籍内容の音声情報を識別可能である（例えば、第１のキーがコード０１の該当書籍における１ページ目の内容の音声情報に対応する、或いは、前記第２のキーがコード０１の該当書籍における全体説明の音声情報に対応する等）。そして、相応のキーが押下されると、音声発生装置は書籍本体に対応する音声情報を再生する。
【００３４】
図４を参照して、本発明の第３実施例ではより多くの機能を実現すべく、前記音声発生装置２と書籍本体１の双方にキー装置６が設けられている。
【００３５】
前記第１通信モジュール４、第２通信モジュール５は、挿入接続方式による接続に限らず、ケーブル７による接続としてもよい。前記第１通信モジュール４、第２通信モジュール５としては、ＵＳＢ、ＲＪ４５、ＩＥＥＥ１３９４、ピンヘッダー等を含むインタフェースを用いればよいが、これらに限らない。また、使用するケーブル７は、前記インタフェースに対応する伝送線路でもある。
【００３６】
前記ケーブル７による接続方式は、上記第１〜第３実施例の全てに適用可能である。即ち、前記音声発生装置２は、ケーブル７を介して書籍本体１に接続される。図５に示す第４実施例において、前記音声発生装置２は、キー装置６が設けられた書籍本体１にケーブル７を介して接続される。また、図６に示す第５実施例では、キー装置６を備えた音声発生装置２が書籍本体１に接続される。
【００３７】
図７を参照して、本発明の第６実施例は複数の音声発生装置２を含む。前記書籍本体１には複数の第２通信モジュール５がインタフェースとして設けられ、前記複数の音声発生装置２は、ケーブル７又は挿入接続方式によって当該書籍本体１に接続される。当該設計によれば、各キーに応じて、異なる造型又は異なる機能に対応する音声発生装置２に音声を発生させることが可能となり、インタラクティブ性が大幅に向上する。例えば、キー装置６を備える音声発生モジュールが挿入された場合、キー機能の拡大を実現可能となる。また、例えば自動車形状、人形形状といった異なる形状の音声発生装置２が挿入された場合、該当ページの内容が交通手段であれば、自動車形状の音声発生装置２が選択されて音声を発生する。また、該当ページの内容が漫画のキャラクターであれば、人形形状の音声発生装置２から音声が発生したり、或いは、２つ以上の音声発生装置２から同時に音声が発生したりする。このため、インタラクティブ性が大幅に向上する。
【００３８】
図８を参照して、本発明の第７実施例は音声発生装置２を１つ含む。前記音声発生装置２には複数の第１通信モジュール４がインタフェースとして設けられており、複数の書籍本体１又はその他の音声発生装置が、ケーブル７又は挿入接続方式で当該音声発生装置２に接続される。複数の書籍本体１が１つの音声発生装置２を同時に共用する方式が採用されるため、複数の書籍を操作する場合であっても、音声発生装置２を１つ使用するだけですみ、ユーザの使用コストを効果的に削減可能となる。
【００３９】
有線接続方式に限らず、本発明は無線接続方式を採用してもよい。即ち、上記の実施例において、前記ケーブル７又は挿入接続方式を無線接続方式に変更してもよい。つまり、前記第１通信モジュール４、第２通信モジュール５を無線通信モジュールとする。前記無線接続は、例えばＴｏｎｅ  Ｄｅｔｅｃｔｉｏｎ、ＩＲ、２．４Ｇ、４３３Ｈｚ、ｗｉｆｉ、ｂｌｕｅｔｏｏｔｈ（登録商標）といった異なる無線技術によって実施可能であるが、これらに限定されない。
【００４０】
図９を参照して、本発明の第８実施例では、前記無線通信モジュールが書籍本体１に内蔵されて、各ページのキー装置６に接続される。音声発生装置２に対応する無線通信モジュールは、人形形状の音声発生装置２に内蔵される。書籍本体１上のキー装置６が押下されると、書籍本体１内の無線通信モジュールは、押下されたキー装置６に対応する音声情報を識別して、相応の無線コードを音声発生装置２に送信可能である。音声発生装置２は無線コードを受信すると、これをデコードして対応する音声を出力する。
【００４１】
図１０を参照して、本発明の第９実施例では、１つの音声発生装置２が複数の書籍本体１に同時に接続される。これによれば、音声発生装置内の音声制御チップ、書籍本体内の識別モジュールのプログラムを適切に編集しておくだけで、複数の書籍に対し１つの音声発生装置を組み合わせることが可能となり、生産コストが削減される。
【００４２】
同様に、図１１を参照して、本発明の第１０実施例では、１つの書籍本体１に複数の音声発生装置２を無線接続可能である。各音声発生装置２はそれぞれ異なる特徴を有しているため、インタラクティブ性が大いに高まるとともに、内容が充実する。
【００４３】
図１２に示す第１１実施例では、前記書籍本体１の無線通信モジュールが挿入接続可能に書籍本体１に取り付けられる。使用したい場合にのみ無線通信モジュールを対応する書籍に挿入接続すればよいため、書籍本体１の生産コストを効果的に削減可能となる。
【００４４】
更に、前記無線通信モジュールは、書籍本体１に電力供給するための電源モジュールを含む。無線通信モジュールは相応の書籍本体１に挿入接続されると、当該書籍本体１に電力供給するとともに、書籍本体１を識別する。当該設計では、電源を無線通信モジュールに設ける形式を採用しているため、書籍本体１自体に電源を設ける必要がなくなり、効果的なコスト削減が可能となる。ユーザは無線通信モジュールを充電して使用するだけで、電源需要を満たすことが可能となる。当該設計によれば、ユーザは使用書籍を交換しやすくなり、実用性が大いに高まる。
【００４５】
図１３に示す第１２実施例では、前記複数の音声発生装置２を複数の書籍本体１に組み合わせて接続可能とする。同様に、書籍本体１の無線通信モジュールは書籍本体１に内蔵又は挿入接続可能とされる。これによれば、開発者に対し一層の創意工夫の余地が残される。
【００４６】
更に、無線通信モジュールは、音声発生装置に設けられるか書籍本体に設けられるかに拘わらず、単方向としてもよいし、双方向としてもよい。
【００４７】
また、前記音声データは音声発生装置２への記憶に限らず、書籍本体１に設けられてもよい。具体的に、図１６、図１７を参照して、前記識別モジュールは、該当の書籍本体の音声データを記憶するための音声チップ、該当の書籍本体の内容に対応する独立コードを記憶するコード記憶装置、及び、第１通信モジュール４に接続される第２通信モジュール５を含み、前記コード記憶装置、音声チップが第２通信モジュール５に接続される。前記音声チップは書籍本体に設けられるため、音声制御チップに書籍本体の音声データを予め記憶させる必要がなくなる。これによれば、音声制御チップは初期作製費用を低く抑えられるほか、将来的な市場の成長に対し高い柔軟性と伸び代を有することになるため、製品開発リスクを低く抑えられる。
【００４８】
図１８に示す本発明の第１３実施例では、人形型の音声発生装置２と、無線機能を備えた第２通信モジュール５及び１冊又は１冊以上の書籍本体１（図１８では２冊の書籍本体を示す）を含む。前記人形には音声制御チップ２３、スピーカー２１、電池２２及び無線通信機能を備えた第１通信モジュール４が内蔵されている。本実施例において、前記音声制御チップ２３は音声チップではなくデコーダーである。前記書籍本体１内の識別モジュールは、コード記憶装置、キー装置及び該当の書籍本体１の音声データが記憶された音声チップを含む。第２通信モジュール５は書籍本体１に接続されると、書籍本体１の回路モジュールに電力を供給するとともに、当該書籍本体１の独立コードを識別する。書籍本体上のキー装置が押下されると、音声内容が第２通信モジュール５から音声発生装置に伝送され、音声制御チップ２３によりデコードされる。その後、スピーカー２１から音声が出力される。これによれば、所定の内容を人形に記憶させる必要がない。
【００４９】
同様に、上記の改良として、図１９に示す第１４実施例では、前記キー装置６が無線機能を備えた第２通信モジュール５に設けられ、前記第２通信モジュール５が書籍本体上の音声チップに接続される。キー信号が音声チップに伝送されると、音声チップの関連内容が第２通信モジュール５を経由して人形内の音声制御チップ２３に伝送され、デコードされる。その後、スピーカー２１から音声が出力される。キー装置６が第２通信モジュール５に設けられることから、書籍本体の生産コストを更に削減可能となる。
【００５０】
更に、図２０を参照して、本発明の第１５実施例では、１より多い人形型の音声発生装置２と、１より多い無線通信モジュール及び１より多い書籍本体を含み、これらが共に通信する。これによれば、書籍本体と書籍本体の通信、人形と人形の通信、書籍本体と人形の通信が可能となる。また、これらの通信としては、一対一（図２０（Ａ））、一対複数（図２０（Ｂ））、複数対一（図２０（Ｃ））、更には複数対複数（図２０（Ｄ））が可能であり、あらゆる形態が考えられる。
【００５１】
人形は書籍との接続に限らず、その他の製品との接続も可能である。その他の製品としては、玩具、アクセサリー、生活用品等が可能であるが、これらに限らない。よって、将来的な成長に対する柔軟性が高い。
【００５２】
上記の全実施例において、前記キー装置としては機能が印刷された柔軟性のシートスイッチが好ましいが、いうまでもなく、メタルドームスイッチ、静電容量スイッチ、マグネットスイッチ、感光性スイッチ等としてもよい。ただし、これらに限定されない。
【００５３】
上記の全実施例において、前記装置は、書籍、玩具、包装容器、装飾品、プラットフォーム、生活用品等の異なる形態としてもよい。ただし、これらに限定されない。
【００５４】
前記の音声発生装置を取り外し可能な電子音声発生書籍における識別方法は、前記書籍本体上の識別モジュールには、該当の書籍本体及びページ内容に対応するキー装置の識別情報が記憶されており、識別モジュールと音声発生装置上の音声制御チップが接続されると、現在接続されている書籍本体及び当該書籍本体のページ内容に対応するキー装置の情報を音声制御チップが取得し、ページ内容に対応するキー装置が押下されると、音声制御チップは識別した情報に基づいてスピーカーを駆動し、前記書籍本体、ページ、キーに対応する音声を出力する。
【００５５】
更に、前記識別モジュールには、当該書籍本体に対応する独立コードが記憶されており、前記音声制御チップには、各独立コードの書籍本体における音声データと、当該書籍本体における具体的音声データの対応関係が予め記憶されており、音声発生装置と書籍本体が接続されると、現在接続されている書籍本体が当該独立コードから識別されるとともに、キー装置と書籍本体における具体的音声データとの対応関係が取得され、キー装置が押圧されると、音声制御チップが、識別された具体的キーと音声データとの関係に基づいてスピーカーを駆動し、前記書籍本体、ページ、キーに対応する音声を出力する。
【００５６】
更に、前記識別モジュールには、該当の書籍本体に対応する独立コードが記憶されるとともに、当該コード及びページ内容に対応する音声データが記憶されており、音声発生装置と書籍本体が接続されると、キー装置と書籍本体における具体的音声データとの対応関係がコードから取得され、キー装置が押下されると、音声制御チップが、識別された具体的キーと音声データとの関係に基づいてスピーカーを駆動し、前記書籍本体、ページ、キーに対応する音声を出力する。
【００５７】
更に、前記音声発生装置は複数の書籍本体と接続可能であり、複数の書籍本体に共通の音声発生装置として使用される。
【００５８】
上記の改良として、前記書籍本体に複数の音声発生装置が接続され、キー装置が押下されると、該当のキー装置に指定されている特定の１又は複数の音声発生装置が音声を発生する。
【００５９】
以上は本発明の好ましい実施例にすぎない。本発明は上述の実施形態に限定されず、同様の手段で本発明の技術的効果を達成可能なものであれば、いずれも本発明の保護の範囲とみなされる。
【図１】
2017094704.tif 000003
【図２】
2017094704.tif 000004
【図３】
2017094704.tif 000005
【図４】
2017094704.tif 000006
【図５】
2017094704.tif 000007
【図６】
2017094704.tif 000008
【図７】
2017094704.tif 000009
【図８】
2017094704.tif 000010
【図９】
2017094704.tif 000011
【図１０】
2017094704.tif 000012
【図１１】
2017094704.tif 000013
【図１２】
2017094704.tif 000014
【図１３】
2017094704.tif 000015
【図１４】
2017094704.tif 000016
【図１５】
2017094704.tif 000017
【図１６】
2017094704.tif 000018
【図１７】
2017094704.tif 000019
【図１８】
2017094704.tif 000020
【図１９】
2017094704.tif 000021
【図２０】
2017094704.tif 000022